(57)【要約】【課題】可動アームの回動を強制的に停止させるためのストッパーを有し、適切な位置で洗髪ボウルを固定できる洗髪台を提供することを課題とする。【解決手段】回動可能な可動アームにより洗髪ボウルが支持された洗髪台において、可動アームと、可動アームを回動可能に支持するための支持部とを有し、可動アームと支持部とのいずれか一方側には、被制動部６ａが設けられ、同他方側には、上記の被制動部６ａに対して接近離反可能に配位された制動部６ｂと、制動部６ｂを操作するための操作レバー６５とが設けられ、上記の操作レバー６５を操作し、制動部６ｂの一部を被制動部６ａに押し付けることにより、可動アームの回動を停止できることを特徴とする洗髪台を提供する。【選択図】          図２
2005137619.tif 000002
【特許請求の範囲】
【請求項１】
回動可能な可動アーム（２，３）により洗髪ボウル（４）が支持された洗髪台（１０）において、
可動アーム（２，３）と、可動アーム（２，３）を回動可能に支持するための支持部（１，２）とを有し、
可動アーム（２，３）と支持部（１，２）とのいずれか一方側には、被制動部（６ａ，７ａ）が設けられ、
同他方側には、上記の被制動部（６ａ，７ａ）に対して接近離反可能に配位された制動部（６ｂ，７ｂ）と、
制動部（６ｂ，７ｂ）を操作するための操作レバー（６５，７５）とが設けられ、
上記の操作レバー（６５，７５）を操作し、制動部（６ｂ，７ｂ）の一部を被制動部（６ａ，７ａ）に押し付けることにより、可動アーム（２，３）の回動を停止できることを特徴とする洗髪台。
【請求項２】
上記の制動部（６ｂ，７ｂ）が、被制動部（６ａ，７ａ）を押し付けるための部分であるブレーキシュー（６２，７２）と、
ブレーキシュー（６２，７２）に連結され、操作レバー（６５，７５）に連動するものであって、上記の支持部（１，２）に固定されたブラケット（６４，７４）に対して螺合することにより、ブレーキシュー（６２，７２）を前進及び後退させることが可能であるねじ部（６３，７３）とを備え、
上記のねじ部（６３，７３）が多条ねじを有するものであることを特徴とする、請求項１に記載の洗髪台。
【請求項３】
１つの洗髪台（１０）が、被施術者（Ｐ）が着席するための、２つの座席から略等距離にある位置に設けられたものであって、
上記の操作レバー（６５，７５）のうちの少なくとも１つが、上記の２つの座席から略等距離にある位置に設けられたことを特徴とする、請求項１または２に記載の洗髪台。
【発明の詳細な説明】
【技術分野】
【０００１】
本願発明は、美容室などで用いられる洗髪台に関するものである。
【背景技術】
【０００２】
【特許文献１】特開２００１−３１４２２３号公報
【０００３】
従来より、美容室などで用いられる洗髪台の一つとして、本願出願人による、特許文献１に記載の発明に係る洗髪台１００が用いられている。
【０００４】
これは、図４に示すように、床面に設置された台座１０１上に、両端が回動可能である第１可動アーム１０２と第２可動アーム１０３とを組み合わせ、被施術者の頭部を配位して洗髪施術を行うための洗髪ボウル１０４を上方に設けたものであり、台座１０１−第１可動アーム１０２−第２可動アーム１０３−洗髪ボウル１０４の順に接続がなされたものである。
【０００５】
このような構造により、各可動アーム１０２，１０３を回動させて角度を調整することによって、被施術者の頭髪に対して適切な位置に洗髪ボウル１０４を配位できる。
【発明の開示】
【発明が解決しようとする課題】
【０００６】
しかしながら、この特許文献１に記載の洗髪台１００においては、各可動アーム１０２，１０３の回動を強制的に停止させるためのストッパーを有するものではなかったため、洗髪中に洗髪ボウル１０４の位置がずれてしまうことがあり、施術しにくいという問題点があった。
【０００７】
また、上記の問題の解決策として、所定の角度ごとに固定ができるストッパーを設けることも考えられるが、こうすると、洗髪ボウル１０４が固定できる位置が限定されるため、必ずしも被施術者の頭髪に対して適切な位置に洗髪ボウル１０４を配位できないという問題がある。
【０００８】
上記の問題に鑑み、本願発明は、可動アームの回動を強制的に停止させるためのストッパーを有し、適切な位置で洗髪ボウルを固定できる洗髪台を提供することを課題とする。
【課題を解決するための手段】
【０００９】
上記課題を解決するために、本願の請求項１に記載の発明は、回動可能な可動アーム２，３により洗髪ボウル４が支持された洗髪台１０において、可動アーム２，３と、可動アーム２，３を回動可能に支持するための支持部１，２とを有し、可動アーム２，３と支持部１，２とのいずれか一方側には、被制動部６ａ，７ａが設けられ、同他方側には、上記の被制動部６ａ，７ａに対して接近離反可能に配位された制動部６ｂ，７ｂと、制動部６ｂ，７ｂを操作するための操作レバー６５，７５とが設けられ、上記の操作レバー６５，７５を操作し、制動部６ｂ，７ｂの一部を被制動部６ａ，７ａに押し付けることにより、可動アーム２，３の回動を停止できることを特徴とする洗髪台を提供する。
ここで、上記の支持部として、後述する実施例においては、第１可動アーム２に対して台座１が、第２可動アーム３に対して第１可動アーム２がそれぞれ相当するものとしている。
【００１０】
また、本願の請求項２に記載の発明は、上記の制動部６ｂ，７ｂが、被制動部６ａ，７ａを押し付けるための部分であるブレーキシュー６２，７２と、ブレーキシュー６２，７２に連結され、操作レバー６５，７５に連動するものであって、上記の支持部１，２に固定されたブラケット６４，７４に対して螺合することにより、ブレーキシュー６２，７２を前進及び後退させることが可能であるねじ部６３，７３とを備え、上記のねじ部６３，７３が多条ねじを有するものであることを特徴とする、請求項１に記載の洗髪台を提供する。
【００１１】
また、本願の請求項３に記載の発明は、１つの洗髪台１０が、被施術者Ｐが着席するための、２つの座席から略等距離にある位置に設けられたものであって、上記の操作レバー６５，７５のうちの少なくとも１つが、上記の２つの座席から略等距離にある位置に設けられたことを特徴とする、請求項１または２に記載の洗髪台を提供する。
【発明の効果】
【００１２】
本願発明の実施にあっては、適切な位置で洗髪ボウル４を固定できるため、洗髪中に洗髪ボウル４の位置がずれてしまうこともなく、洗髪施術が確実にできるという利点を有する。
そして特に、請求項３に記載の発明にあっては、２つの座席で１つの洗髪台１０を共有することができるため、美容室のレイアウトや設備コストの上で有利である。
【発明を実施するための最良の形態】
【００１３】
次に、図面に基づき本願発明の実施の形態の一例をとりあげて説明する。図１は、本例の洗髪台を示す斜視図であり、図２は、本例の洗髪台における第１ストッパーを示す要部断面の説明図である。
【００１４】
本例における洗髪台１０は、床面上に固定された台座１と、この台座１上に、一端側の回転関節部２ａが、ベアリングにより回動可能に設けられた第１可動アーム２と、この第１可動アーム２の他端側の回転関節部２ｂ上に、一端側の回転関節部３ａが、ベアリングにより回動可能に設けられた第２可動アーム３と、この第２可動アーム３の他端側の回転関節部３ｂ上に、洗髪施術を行うための洗髪ボウル４とを備える。
また、第２可動アーム３の他端側の回転関節部３ｂと上記洗髪ボウル４との間には、洗髪ボウル４の角度を調整することができる関節部５が設けられている。
【００１５】
ここで、台座１と第１可動アーム２における回転関節部２ａとにわたる内部には、台座１と第１可動アーム２との位置関係を固定するための第１ストッパー６が設けられる。また、同様にして、第１可動アーム２における回転関節部２ｂと第２可動アーム３における回転関節部３ａとにわたる内部には、第１可動アーム２と第２可動アーム３との位置関係を固定するための第２ストッパー７が設けられる。
【００１６】
第１ストッパー６は、図２に示すように、被制動部６ａである回動ディスク６１と、制動部６ｂであるブレーキシュー６２、ねじ部６３、ブラケット６４、操作レバー６５とから構成されている。
【００１７】
回動ディスク６１は、本例においては第１可動アーム２の側に設けられており、第１可動アーム２の回動と連動する円盤状あるいは円環状のものである。
一方、ブレーキシュー６２、ねじ部６３、ブラケット６４、操作レバー６５は台座１に設けられている。
【００１８】
ブレーキシュー６２は、回動ディスク６１の外周面に対して接近離反可能とされており、回動ディスク６１に対して接近し、当接した際には、回動ディスク６１との間で摩擦が発生する。この摩擦により、回動ディスク６１が固定され、これにより台座１と第１可動アーム２とが固定される。なお、ブレーキシュー６２において、回動ディスク６１に向かい合う側である前方側には、回動ディスク６１の外周面と一致する曲率の曲面が形成されている。
【００１９】
ブレーキシュー６２の後方側にはねじ部６３が設けられている。本例において、ねじ部６３は、螺合軸６３ａ、位置調整軸６３ｂ、ロックナット６３ｃからなるものであって、ブレーキシュー６２は、位置調整軸６３ｂに取り付けられている。
【００２０】
螺合軸６３ａは、外周の一部に雄ねじを有する中空軸であって、操作レバー６５と連動するようになされたものである。上記の雄ねじは、台座１に固定されたブロック状のブラケット６４に対して螺合可能なものであって、これにより、操作レバー６５を操作することにより、螺合軸６３ａがブラケット６４に対して回動し、位置調整軸６３ｂを介して、ブレーキシュー６２を前進・後退させることができる。また、この螺合軸６３ａの内側には、後述する位置調整軸６３ｂと螺合するための雌ねじが形成されている。
なお上記の雄ねじとして、本例では３条ねじが形成されているため、操作レバー６５をわずかに操作するだけで、ブレーキシュー６２を大きく前進・後退させることができる。なお、この螺合軸６３ａ及びブラケット６４に形成されるねじは、本例のような３条ねじに限定されるものではなく、種々の多条ねじを採用し得る。
【００２１】
なお、位置調整軸６３ｂとロックナット６３ｃは、回動ディスク６１とブレーキシュー６２との間隔を調整するために設けられたものである。位置調整軸６３ｂの外周面には、螺合軸６３ａに対して螺合可能な雄ねじが設けられている。また、ロックナット６３ｃは、位置調整軸６３ｂの後部にねじ込まれ、螺合軸６３ａの後端部に当接することによって、螺合軸６３ａと位置調整軸６３ｂとの位置関係を固定する。この構造により、螺合軸６３ａに対する位置調整軸６３ｂの前方への突出量を変えることができ、位置調整軸６３ｂに取り付けられたブレーキシュー６２の位置を調整することができる。
なお、このブレーキシュー６２の位置の調整については、本例の構造のものに限定されるものではなく、例えば、ブラケット６４を、ねじなどの手段を用いて、台座１に対して位置調整可能に設けるなどして、回動ディスク６１とブレーキシュー６２との間隔を調整するための機構を別途設け、位置調整軸６３ｂとロックナット６３ｃを設けないものとしても良い。
【００２２】
操作レバー６５は、図１に示すように、台座１の外部に突出するようにして形成されるものである。そして上記のように螺合軸６３ａと連動するものである。本例の第１ストッパー６においては、螺合軸６３ａの外周面から突出した連動枝部６３ｄに対してリンク機構６５ａを介して接続されている。よって図２に示すように、操作レバー６５を軸部６５ｂを中心として回動させることにより、リンク機構６５ａと連動枝部６３ｄとを介して螺合軸６３ａを回動させることができる。上記の操作レバー６５の回動範囲の角度については、３０°、４５°の順で実施するのがより望ましい。
なお、この第１ストッパー６は洗髪台１０の下部に配位されるものであるため、操作レバー６５は施術者の足で操作できるように、軸部６５ｂから左右側にペダル部６５ｃが突出しており、略Ｔ字状に形成されている。
【００２３】
第２ストッパー７は、被制動部７ａである回動ディスク７１と、制動部７ｂであるブレーキシュー７２、ねじ部７３、ブラケット７４、操作レバー７５とから構成されている。そして、ねじ部７３は、螺合軸７３ａ、位置調整軸７３ｂ、ロックナット７３ｃからなるものである。これらの各部材については、上記の第１ストッパー６と同様であるため、説明及び図示を省略する。
ただし上記のように、洗髪台１０の下部に設けられることにより、施術者の足で操作するように形成された、第１ストッパー６の操作レバー６５と異なり、操作レバー７５については施術者の手で操作するものとするため、図１に示すように、上方に伸ばされた形状となっている。また第１ストッパー６とは異なり、リンク機構は設けられておらず、螺合軸７３ａに操作レバー７５が直接取り付けられている。なお、操作レバー７５の回動範囲の角度については、３０°、４５°、９０°の順で実施するのがより望ましい。
なお、操作レバー６５，７５の形状については、本例の形態に限定されるものではなく、例えば操作レバー６５を操作レバー７５のように手で操作できる形状としても良く、種々に変更して実施し得る。
【００２４】
また、本例においては、第１ストッパー６において、被制動部６ａが第１可動アーム２の側に、制動部６ｂが台座１の側にそれぞれ設けられており、第２ストッパー７において、被制動部７ａが第２可動アーム３の側に、制動部７ｂが第１可動アーム２の側にそれぞれ設けられているが、被制動部６ａ，７ａと制動部６ｂ，７ｂとの位置関係は、本例のものに限定されるものではなく、逆にして実施しても良い。
【００２５】
次に本例における洗髪台１０の動作について説明する。まず、本例の洗髪台１０を、第１可動アーム２と第２可動アーム３が上下に重なった収納状態から、第１可動アーム２と第２可動アーム３とを回動させて、図３に示すように、被施術者Ｐの頭髪の洗髪を行いやすい状態まで洗髪ボウル４の位置を移動させる。
【００２６】
そして、被施術者Ｐに、洗髪ボウル４の前の座席に後ろ向きに座って（横たわって）もらい、被施術者Ｐの頭部を、洗髪ボウル４の前方の凹部４ａに置く。そして、被施術者Ｐの頭部の位置が適切な位置になるように、関節部５を調整することにより洗髪ボウル４の角度を調節する。洗髪ボウル４が最も適切な位置に決まった状態で、操作レバー６５，７５を操作することによって、第１可動アーム２及び第２可動アーム３の位置関係を固定する。このようにして、被施術者Ｐに対して最も適切な位置に洗髪ボウル４を固定することができる。
【００２７】
なお、美容室などにおいて、２つの座席から略等距離にある位置に１つの洗髪台１０を設けておき、第１可動アーム２及び第２可動アーム３を適宜回動させることにより、上記の２つの座席に着席した被施術者Ｐ（図３に実線と破線で図示）に対して、１つの洗髪台１０で洗髪施術を行うことが可能である。よって、美容室のレイアウトや設備コストの上で有利である。
なお、第１ストッパー６の操作レバー６５は、台座１の背面側中央に設けられたものである。つまり、操作レバー６５が上記の２つの座席から略等距離にある位置にあるため、洗髪台１０を、洗髪台１０を基準として右側に存在する座席に対して用いる場合でも、左側に存在する座席に対して用いる場合でも、施術者から遠い位置に操作レバー６５がくることがなく、使い勝手の良いものとできる。なお本例においては、操作レバー６５を、台座１の背面側中央に設けたものとしたが、上記の２つの座席から略等距離にある位置に設けてあれば良く、台座１の正面側中央に設けたものとしても良い。
【図面の簡単な説明】
【００２８】
【図１】本願発明の実施の形態の一例に係る洗髪台を示す斜視図である。
【図２】本例の洗髪台における第１ストッパーを示す要部断面の説明図である。
【図３】本例の洗髪台の使用例を示す参考図である。
【図４】従来の洗髪台の一例を示す斜視図である。
【符号の説明】
【００２９】
１      支持部、台座
２      支持部、（第１）可動アーム
３      （第２）可動アーム
４      洗髪ボウル
６ａ    被制動部（第１可動アーム）
６ｂ    制動部（第１可動アーム）
６２    ブレーキシュー（第１可動アーム）
６３    ねじ部（第１可動アーム）
６４    ブラケット（第１可動アーム）
６５    操作レバー（第１可動アーム）
７ａ    被制動部（第２可動アーム）
７ｂ    制動部（第２可動アーム）
７２    ブレーキシュー（第２可動アーム）
７３    ねじ部（第２可動アーム）
７４    ブラケット（第２可動アーム）
７５    操作レバー（第２可動アーム）
１０    洗髪台
Ｐ      被施術者
【図１】
2005137619.tif 000003
【図２】
2005137619.tif 000004
【図３】
2005137619.tif 000005
【図４】
2005137619.tif 000006